(57)【要約】【課題】簡易な構造でありながら、道路表面上を流れてくる雨水等のみならず、側溝ブロックとの際にできた窪みに溜まる雨水等を、側溝ブロック内に排水することができるグレーチングを提供する。【解決手段】グレーチング３は、グレーチング本体１０と、嵌合部１１と、排水路Ｔを備える。側溝ブロック１の少なくとも一方の側壁１ａには、上方および両側方へと開口する凹部７が設けられる。前記嵌合部１１は、前記グレーチング本体１０の一側部に突設されており、前記凹部７の底面７ａ側との間に排水空間部Ｖを形成するようにして、その凹部７に嵌められる。嵌合部１１は、間隔を置いて並設された複数の嵌合部構成体１１ａを有する。前記排水路Ｔは、隣り合う前記嵌合部構成体間１１ａに形成された間隙からなり、その間隙は、前記排水空間部Ｖに通じる。【選択図】図１
2004225450.tif 000002
【特許請求の範囲】
【請求項１】
上方に開口する側溝ブロック内の水路を被うようにして、その開口部に配備される、グレーチングであって、
雨水等を排水するための、上下に貫通するようにして開口する排水口が、複数形成されたグレーチング本体と、
そのグレーチング本体の一側部に突設されて、前記側溝ブロックの少なくとも一方の側壁に設けられた上方および両側方へと開口する凹部に、その凹部の底面側との間に排水空間部を形成するようにして嵌められる、嵌合部と、
前記排水空間部を介して、前記嵌合部の先端部から前記側溝ブロック内へと通じる、排水路とを備えており、
前記嵌合部は、間隔を置いて並設された複数の嵌合部構成体を有し、また、
前記排水路は、隣り合う前記嵌合部構成体間に形成された、前記排水空間部に通じる間隙からなることを特徴とするグレーチング。
【請求項２】
上方に開口する側溝ブロック内の水路を被うようにして、その開口部に配備される、グレーチングであって、
雨水等を排水するための、上下に貫通するようにして開口する排水口が、複数形成されたグレーチング本体と、
そのグレーチング本体の一側部に突設されて、前記側溝ブロックの少なくとも一方の側壁に設けられた上方および両側方へと開口する凹部に、その凹部の底面側との間に排水空間部を形成するようにして嵌められる、嵌合部とを備え、
前記嵌合部は、その嵌合部と、前記凹部の側面との間に、前記排水空間部に通じるとともにその排水空間部を介して前記側溝ブロック内へと通じる、集水間隙ができるように、前記凹部よりも幅狭に形成されていることを特徴とするグレーチング。
【請求項３】
前記嵌合部構成体には、前記排水空間部に通じる、上下に貫通するようにして開口する排水口が形成されていることを特徴とする請求項１または２に記載のグレーチング。
【請求項４】
前記嵌合部は、前記グレーチング本体の外周枠に、突設されるように固着もしくは固定されることを特徴とする請求項１ないし３のいずれか１項に記載のグレーチング。
【請求項５】
上方に開口する側溝ブロック内の水路を被うようにして、その開口部に配備される、グレーチングであって、
雨水等を排水するための、上下に貫通するようにして開口する排水口が、複数形成されたグレーチング本体と、
そのグレーチング本体の一側部に突設されて、前記側溝ブロックの少なくとも一方の側壁に設けられた上方および両側方へと開口する凹部に嵌められる、嵌合部と、
前記嵌合部の先端部から前記側溝ブロック内へと通じる、排水路とを備えており、
前記嵌合部は、間隔を置いて並設された複数の嵌合部構成体を有し、また、
前記排水路は、隣り合う前記嵌合部構成体間に形成された間隙からなることを特徴とするグレーチング。
【請求項６】
上方に開口する側溝ブロック内の水路を被うようにして、その開口部に配備される、グレーチングであって、
雨水等を排水するための、上下に貫通するようにして開口する排水口が、複数形成されたグレーチング本体と、
そのグレーチング本体の一側部に突設されて、前記側溝ブロックの少なくとも一方の側壁に設けられた上方および両側方へと開口する凹部に嵌められる、嵌合部とを備え、
前記嵌合部は、その嵌合部と、前記凹部の側面との間に、前記側溝ブロック内へと通じる、集水間隙ができるように、前記凹部よりも幅狭に形成されていることを特徴とするグレーチング。
【請求項７】
前記嵌合部構成体には、前記側溝ブロック内へと通じる、上下に貫通するようにして開口する排水口が形成されていることを特徴とする請求項５または６に記載のグレーチング。
【請求項８】
前記嵌合部は、前記グレーチング本体の外周枠に、突設されるように固着もしくは固定されることを特徴とする請求項５ないし７のいずれか１項に記載のグレーチング。
【請求項９】
請求項１に記載のグレーチングと、前記側溝ブロックとを備える、排水構造であって、
前記側溝ブロックは、前記凹部が設けられた側壁が、道路側に配置されるように設置され、
前記グレーチングは、前記嵌合部が、前記凹部に、その凹部の底面側との間に排水空間部を形成するようにして嵌められて、前記側溝ブロックの前記開口部に配備されることを特徴とする排水構造。
【請求項１０】
前記凹部は、前記開口部に設けられた蓋掛かり段部から起立する起立壁に設けられているとともに、その凹部の底面は、前記蓋掛かり段部を横切るようにその蓋掛かり段部に設けられた、排水溝の底面と連続するようにつながっていることを特徴とする請求項９に記載の排水構造。
【請求項１１】
前記凹部の底面は、前記側壁の外面側から内面側に向かうにつれて下方に進む傾斜面となっていることを特徴とする請求項１０に記載の排水構造。
【請求項１２】
前記嵌合部と前記凹部の側面との間に、前記排水空間部に通じるとともにその排水空間部を介して前記側溝ブロック内へと通じる、集水間隙が形成されていることを特徴とする請求項９ないし１１のいずれか１項に記載の排水構造。
【請求項１３】
請求項５に記載のグレーチングと、前記側溝ブロックとを備える、排水構造であって、
前記側溝ブロックは、前記凹部が設けられた側壁が、道路側に配置されるように設置され、
前記グレーチングは、前記嵌合部が、前記凹部に嵌められて、前記側溝ブロックの前記開口部に配備されることを特徴とする排水構造。
【請求項１４】
前記嵌合部と前記凹部の側面との間に、前記側溝ブロック内へと通じる、集水間隙が形成されていることを特徴とする請求項１３に記載の排水構造。
【請求項１５】
前記側溝ブロックの、前記凹部が設けられた側壁には、前記凹部の、外側の側方を覆うようにして立設された、前記道路と前記凹部とを隔てる、複数の隔て板が設けられており、
それら隔て板の間には、前記排水路に連通する、第一連通間隙が形成されていることを特徴とする請求項９ないし１４のいずれか１項に記載の排水構造。
【請求項１６】
前記側溝ブロックの、前記凹部が設けられた側壁には、前記凹部の、外側の側方を覆うようにして立設された、前記道路と前記凹部とを隔てる、複数の隔て板が設けられており、
それら隔て板の間には、前記排水路に連通するとともに、その排水路よりも下方に位置する前記排水空間部に、前記凹部の外側の側方より連通する、第一連通間隙が形成されていることを特徴とする請求項９ないし１２のいずれか１項に記載の排水構造。
【請求項１７】
前記側溝ブロックの、前記凹部が設けられた側壁には、前記凹部の、外側の側方を覆うようにして立設された、前記道路と前記凹部とを隔てる、複数の隔て板が設けられており、
それら隔て板の間には、前記排水路に連通する、第一連通間隙が形成されており、また、
前記隔て板と、前記凹部の側面端部との間に、前記集水間隙に連通する、第二連通間隙が形成されていることを特徴とする請求項１２または１４に記載の排水構造。
【請求項１８】
前記複数の隔て板は、複数の板材からなり、前記第一連通間隙は、前記板材間の間隙からなることを特徴とする請求項１５ないし１７のいずれか１項に記載の排水構造。
【請求項１９】
請求項２に記載のグレーチングと、前記側溝ブロックとを備える、排水構造であって、
前記側溝ブロックは、前記凹部が設けられた側壁が、道路側に配置されるように設置され、
前記グレーチングは、前記嵌合部が、前記凹部に、その凹部の底面側との間に排水空間部を形成するようにして嵌められて、前記側溝ブロックの前記開口部に配備され、
前記嵌合部と、前記凹部の側面との間に、前記排水空間部に通じるとともにその排水空間部を介して前記側溝ブロック内へと通じる、集水間隙が形成されていることを特徴とする排水構造。
【請求項２０】
前記凹部は、前記開口部に設けられた蓋掛かり段部から起立する起立壁に設けられているとともに、その凹部の底面は、前記蓋掛かり段部を横切るようにしてその蓋掛かり段部に設けられた、排水溝の底面と連続するようにつながっていることを特徴とする請求項１９に記載の排水構造。
【請求項２１】
前記凹部の底面は、前記側壁の外面側から内面側に向かうにつれて下方に進む傾斜面となっていることを特徴とする請求項２０に記載の排水構造。
【請求項２２】
請求項６に記載のグレーチングと、前記側溝ブロックとを備える、排水構造であって、
前記側溝ブロックは、前記凹部が設けられた側壁が、道路側に配置されるように設置され、
前記グレーチングは、前記嵌合部が、前記凹部に嵌められて、前記側溝ブロックの前記開口部に配備され、
前記嵌合部と、前記凹部の側面との間に、前記側溝ブロック内へと通じる、集水間隙が形成されていることを特徴とする排水構造。
【請求項２３】
前記側溝ブロックの、前記凹部が設けられた側壁には、前記凹部の、外側の側方を覆うようにして立設された、前記道路と前記凹部とを隔てる、隔て板が設けられており、その隔て板と、前記凹部の側面端部との間に、前記集水間隙に連通する、連通間隙が形成されていることを特徴する請求項１９ないし２２のいずれか１項に記載の排水構造。
【請求項２４】
上方に開口する開口部に、内側の水路を被うようにしてグレーチングが配備される、側溝ブロックであって、
少なくとも一方の側壁には、前記グレーチングのグレーチング本体の一側部に突設された嵌合部が嵌められる凹部が、上方および両側方へと開口するとともにその凹部の底面側と前記嵌合部との間に排水空間部を形成するように設けられており、また、前記側壁には、前記凹部の、外側の側方を覆うようにして立設された、複数の隔て板が設けられており、
それら隔て板の間には、前記排水空間部を介して前記嵌合部の先端部から前記側溝ブロック内へと通じる排水路に連通する、第一連通間隙が形成されていることを特徴とする側溝ブロック。
【請求項２５】
前記隔て板と、前記凹部の側面端部との間に、第二連通間隙が形成されており、その第二連通間隙は、前記嵌合部と、前記凹部の側面との間に形成される、前記排水空間部に通じる集水間隙に連通することを特徴とする請求項２４に記載の側溝ブロック。
【請求項２６】
前記複数の隔て板は、複数の板材からなり、
前記第一連通間隙は、前記板材間に形成された、間隙からなることを特徴とする請求項２４または２５に記載の側溝ブロック。
【請求項２７】
上方に開口する開口部に、内側の水路を被うようにしてグレーチングが配備される、側溝ブロックであって、
少なくとも一方の側壁には、前記グレーチングのグレーチング本体の一側部に突設された嵌合部が嵌められる凹部が、上方および両側方へと開口するとともにその凹部の底面側と前記嵌合部との間に排水空間部を形成するように設けられており、また、前記側壁には、前記凹部の、外側の側方を覆うようにして立設された、隔て板が設けられており、
その隔て板と、前記凹部の側面端部との間に、連通間隙が形成されており、その連通間隙は、前記嵌合部と、前記凹部の側面との間に形成される、前記排水空間部に通じる集水間隙に連通することを特徴とする側溝ブロック。
【請求項２８】
前記凹部は、前記開口部に設けられた蓋掛かり段部から起立する起立壁に設けられているとともに、その凹部の底面は、前記蓋掛かり段部を横切るようにしてその蓋掛かり段部に設けられた排水溝の底面と連続するようにつながっていることを特徴とする請求項２４ないし２７のいずれか１項に記載の側溝ブロック。
【請求項２９】
前記凹部の底面は、前記側壁の外面側から内面側に向かうにつれて下方に進む傾斜面となっていることを特徴とする請求項２８に記載の側溝ブロック。
【発明の詳細な説明】
【０００１】
【発明の属する技術分野】
この発明は、側溝ブロックの、上方に開口する開口部に、前記側溝ブロック内の水路を被うようにして配備される、グレーチング、そのグレーチングを備える排水構造および側溝ブロックに関するものである。
【０００２】
【従来の技術】
従来のグレーチングは、道路に沿って配置される、側溝ブロックとしてのＵ字型側溝ブロックの、開口部において、両側壁の上部に設けられた蓋掛かり段部に載せられるようにして配備されていた。そして、このグレーチングの上面は、Ｕ字型側溝ブロックの両側壁の頂面と面一になっており、また、Ｕ字型側溝ブロックの、一方の側壁の頂面は、道路の舗装面と面一になっていた。これによって、道路表面上を流れてくる、雨水等は、Ｕ字型側溝ブロックの、前記一方の側壁の頂面を通って、グレーチングに流れて、さらに、このグレーチングから、Ｕ字型側溝ブロック内へと排水されるようになっていた。
【０００３】
ところが、道路の舗装面は、Ｕ字型側溝ブロックとの際あたりで、転圧を十分に行うことができない等の理由より、部分的に、前記一方の側壁の頂面よりも下がることがあった。このように、道路の舗装面が下がると、道路表面上を流れてくる、雨水等は、一方の側壁で止められて、その下がった部分で雨水等が溜まってしまうが、従来のグレーチングでは、そのようにして溜まった雨水等を、Ｕ字型側溝ブロック内に排水することができなった。
【０００４】
もっとも、側溝ブロックとの際に溜まった雨水を、その側溝ブロック内に排水することができるようにした発明として、側溝ブロックの側壁に形成された、その外面から内面に連通する孔部または切欠部に装着される導水用部材があった（例えば、特許文献１参照）。この導水用部材は、板状基壁を備え、この板状基壁の表裏面間には、地中水または側溝ブロック側壁に接する地表水を側溝ブロック内へと導水するための、接水等導入孔が設けられており、また、前記板状基壁の上部から延出される延設壁あるいは前記板状基壁の上側面には、地表水を側溝ブロック内へと導水するための、地表水導入孔が設けられていた。そして、道路の陥没等によって生じた、側溝ブロックに接する段差部分等の窪みに溜まった雨水等を、前記接水等導入孔から、側溝ブロック内に導水していた。
【０００５】
【特許文献１】
特開平１１−２６９９６９号公報
【０００６】
【発明が解決しようとする課題】
ところが、前記導水用部材においては、地表水導入孔と、接水等導入孔とを、それぞれ異なる方向に、すなわち、地表水導入孔を上方に、また、接水等導入孔を側方に、それぞれ開口させるため、地表水導入孔と接水等導入孔とが、異なる方向に開口するように導水用部材を構成する必要があり、その構造が複雑となった。
【０００７】
この発明は、上記した従来の問題点を解決するためになされたものであり、その目的は、簡易な構造でありながら、道路表面上を流れてくる雨水等のみならず、側溝ブロックとの際にできた窪みに溜まる雨水等を、側溝ブロック内に排水することができるグレーチング、そのグレーチングを備える排水構造および側溝ブロックを提供することにある。
【０００８】
【課題を解決するための手段】
この発明に係るグレーチングは、前記目的を達成するために、次の構成からなる。すなわち、この発明に係るグレーチングは、上方に開口する側溝ブロック内の水路を被うようにして、その開口部に配備されるグレーチングである。そして、このグレーチングは、雨水等を排水するための、上下に貫通するようにして開口する排水口が、複数形成されたグレーチング本体と、そのグレーチング本体の一側部に突設されて、前記側溝ブロックの少なくとも一方の側壁に設けられた上方および両側方へと開口する凹部に、その凹部の底面側との間に排水空間部を形成するように嵌められる嵌合部と、前記排水空間部を介して、前記嵌合部の先端部から前記側溝ブロック内へと通じる排水路とを備えている。そして、前記嵌合部は、間隔を置いて並設された複数の嵌合部構成体を有し、また、前記排水路は、隣り合う前記嵌合部構成体間に形成された、前記排水空間部に通じる間隙からなる（請求項１）。
【０００９】
これによれば、グレーチング本体の一側部に、間隔を置いて並ぶ複数の嵌合部構成体を有する嵌合部を突設するという簡単な構成で、側方に開口するとともに、上方および下方に開口する、排水路が形成される。そして、側溝ブロックの少なくとも一方の側壁に設けられた凹部に、その凹部の底面側との間に排水空間部が形成されるように、前記複数の嵌合部構成体を有する嵌合部を嵌めるとともに、側溝ブロック内の水路を被うように、その開口部にグレーチングを配備することにより、前記排水路は、前記排水空間部を介して、前記嵌合部の先端部から、前記側溝ブロック内に通じることになる。かくして、道路表面上を流れてくる、雨水等は、グレーチング本体の排水口および前記排水路によって、側溝ブロック内へと排水される。また、側溝ブロックとの際あたりで、道路の舗装面が下がって窪んだとしても、その窪みに溜まる雨水等は、前記排水路を介して、側溝ブロック内へと排水される。また、道路が、透水層を備える透水性道路の場合、その透水層に染み込んだ雨水等は、前記排水路を通って、側溝ブロック内に排水されることになる。
【００１０】
また、この発明に係るグレーチングは、上方に開口する側溝ブロック内の水路を被うようにして、その開口部に配備される、グレーチングである。そして、雨水等を排水するための、上下に貫通するようにして開口する排水口が、複数形成されたグレーチング本体と、そのグレーチング本体の一側部に突設されて、前記側溝ブロックの少なくとも一方の側壁に設けられた上方および両側方へと開口する凹部に、その凹部の底面側との間に排水空間部を形成するようにして嵌められる、嵌合部とを備える。そして、前記嵌合部は、その嵌合部と、前記凹部の側面との間に、前記排水空間部に通じるとともにその排水空間部を介して前記側溝ブロック内へと通じる、集水間隙ができるように、前記凹部よりも幅狭に形成されている（請求項２）。
【００１１】
これによれば、側溝ブロックの少なくとも一方の側壁に設けられた凹部に、その凹部の底面側との間に排水空間部が形成されるように、嵌合部を嵌めるとともに、側溝ブロック内の水路を被うように、その開口部にグレーチングを配備することにより、前記嵌合部と、前記凹部の側面との間に、前記排水空間部を介して側溝ブロック内へと通じる、集水間隙が形成される。かくして、道路表面上を流れてくる、雨水等は、グレーチング本体の排水口および前記集水間隙によって、側溝ブロック内へと排水される。また、側溝ブロックとの際にできた窪みに溜まる雨水等、あるいは、透水性道路の透水層に染み込んだ雨水等は、前記集水間隙を通って、側溝ブロック内に排水される。
【００１２】
また、この発明に係るグレーチングは、上方に開口する側溝ブロック内の水路を被うようにして、その開口部に配備される、グレーチングである。そして、雨水等を排水するための、上下に貫通するようにして開口する排水口が、複数形成されたグレーチング本体と、そのグレーチング本体の一側部に突設されて、前記側溝ブロックの少なくとも一方の側壁に設けられた上方および両側方へと開口する凹部に嵌められる嵌合部と、前記嵌合部の先端部から前記側溝ブロック内へと通じる、排水路とを備える。そして、前記嵌合部は、間隔を置いて並設された複数の嵌合部構成体を有し、また、前記排水路は、隣り合う前記嵌合部構成体間に形成された間隙からなる（請求項５）。
【００１３】
これによれば、グレーチング本体の一側部に、間隔を置いて並ぶ複数の嵌合部構成体を有する嵌合部を突設するという簡単な構成で、側方に開口するとともに、上方および下方に開口する、排水路が形成される。そして、側溝ブロックの少なくとも一方の側壁に設けられた凹部に、前記複数の嵌合部構成体を有する嵌合部を嵌めるとともに、側溝ブロック内の水路を被うように、その開口部にグレーチングを配備することにより、前記排水路は、前記嵌合部の先端部から、前記側溝ブロック内に通じることになる。かくして、道路表面上を流れてくる、雨水等は、グレーチング本体の排水口および前記排水路によって、側溝ブロック内へと排水される。また、側溝ブロックとの際あたりで、道路の舗装面が下がって窪んだとしても、その窪みに溜まる雨水等は、前記排水路を介して、側溝ブロック内へと排水される。また、道路が、透水層を備える透水性道路の場合、その透水層に染み込んだ雨水等は、前記排水路を通って、側溝ブロック内に排水されることになる。
【００１４】
また、この発明に係るグレーチングは、上方に開口する側溝ブロック内の水路を被うようにして、その開口部に配備される、グレーチングである。そして、雨水等を排水するための、上下に貫通するようにして開口する排水口が、複数形成されたグレーチング本体と、そのグレーチング本体の一側部に突設されて、前記側溝ブロックの少なくとも一方の側壁に設けられた上方および両側方へと開口する凹部に嵌められる、嵌合部とを備える。そして、前記嵌合部は、その嵌合部と、前記凹部の側面との間に、前記側溝ブロック内へと通じる、集水間隙ができるように、前記凹部よりも幅狭に形成されている（請求項６）。
【００１５】
これによれば、側溝ブロックの少なくとも一方の側壁に設けられた凹部に、グレーチング本体の一側部に突設された嵌合部を嵌めるとともに、側溝ブロック内の水路を被うように、その開口部にグレーチングを配備することにより、前記嵌合部と、前記凹部の側面との間に、側溝ブロック内へと通じる、集水間隙が形成される。かくして、道路表面上を流れてくる、雨水等は、グレーチング本体の排水口および前記集水間隙によって、側溝ブロック内へと排水される。また、側溝ブロックとの際にできた窪みに溜まった雨水等、あるいは、透水性道路の透水層に染み込んだ雨水等は、前記集水間隙を通って、側溝ブロック内に排水される。
【００１６】
また、この発明に係る排水構造は、請求項１に記載のグレーチングと、前記側溝ブロックとを備える、排水構造である。前記側溝ブロックは、前記凹部が設けられた側壁が、道路側に配置されるように設置される。そして、前記グレーチングは、前記嵌合部が、前記凹部に、その凹部の底面側との間に排水空間部を形成するようにして嵌められて、前記側溝ブロックの前記開口部に配備される（請求項９）。
【００１７】
これにより、排水路は、前記排水空間部を介して、前記嵌合部の先端部から、前記側溝ブロック内に通じることになる。道路表面上を流れてくる雨水等は、グレーチング本体の排水口および前記排水路によって、側溝ブロック内へと排水される。また、側溝ブロックとの際にできた窪みに溜まる雨水等、あるいは、透水性道路の透水層に染み込んだ雨水等は、前記排水路を通って、側溝ブロック内に排水されることになる。
【００１８】
また、この発明に係る排水構造は、請求項５に記載のグレーチングと、前記側溝ブロックとを備える、排水構造である。前記側溝ブロックは、前記凹部が設けられた側壁が、道路側に配置されるように設置され、前記グレーチングは、前記嵌合部が、前記凹部に嵌められて、前記側溝ブロックの前記開口部に配備される（請求項１３）。
【００１９】
これにより、排水路は、前記嵌合部の先端部から、前記側溝ブロック内に通じることになる。道路表面上を流れてくる、雨水等は、グレーチング本体の排水口および前記排水路によって、側溝ブロック内へと排水される。また、側溝ブロックとの際にできた窪みに溜まる雨水等、あるいは、透水性道路の透水層に染み込んだ雨水等は、前記排水路を通って、側溝ブロック内に排水されることになる。
【００２０】
また、この発明に係る排水構造は、請求項２に記載のグレーチングと、前記側溝ブロックとを備える、排水構造である。前記側溝ブロックは、前記凹部が設けられた側壁が、道路側に配置されるように設置され、前記グレーチングは、前記嵌合部が、前記凹部に、その凹部の底面側との間に排水空間部を形成するようにして嵌められて、前記側溝ブロックの前記開口部に配備される。そして、前記嵌合部と、前記凹部の側面との間に、前記排水空間部に通じるとともにその排水空間部を介して前記側溝ブロック内へと通じる、集水間隙が形成されている（請求項１９）。
【００２１】
これにより、嵌合部と、前記凹部の側面との間に、前記排水空間部を介して側溝ブロック内へと通じる、集水間隙が形成される。道路表面上を流れてくる、雨水等は、グレーチング本体の排水口および前記集水間隙によって、側溝ブロック内へと排水される。また、側溝ブロックとの際にできた窪みに溜まる雨水等、あるいは、透水性道路の透水層に染み込んだ雨水等は、前記集水間隙を通って、側溝ブロック内に排水される。
【００２２】
また、この発明に係る排水構造は、請求項６に記載のグレーチングと、前記側溝ブロックとを備える、排水構造である。前記側溝ブロックは、前記凹部が設けられた側壁が、道路側に配置されるように設置され、前記グレーチングは、前記嵌合部が、前記凹部に嵌められて、前記側溝ブロックの前記開口部に配備される。そして、前記嵌合部と、前記凹部の側面との間に、前記側溝ブロック内へと通じる、集水間隙が形成されている（請求項２２）。
【００２３】
これにより、嵌合部と、前記凹部の側面との間に、側溝ブロック内へと通じる、集水間隙が形成される。道路表面上を流れてくる、雨水等は、グレーチング本体の排水口および前記集水間隙によって、側溝ブロック内へと排水される。また、側溝ブロックとの際にできた窪みに溜まる雨水等、あるいは、透水性道路の透水層に染み込んだ雨水等は、前記集水間隙を通って、側溝ブロック内に排水される。
【００２４】
また、この発明に係る側溝ブロックは、上方に開口する開口部に、内側の水路を被うようにしてグレーチングが配備される、側溝ブロックである。そして、少なくとも一方の側壁には、前記グレーチングのグレーチング本体の一側部に突設された嵌合部が嵌められる凹部が、上方および両側方へと開口するとともにその凹部の底面側と前記嵌合部との間に排水空間部を形成するように設けられており、また、前記側壁には、前記凹部の、外側の側方を覆うようにして立設された、複数の隔て板が設けられている。そして、それら隔て板の間には、前記排水空間部を介して前記嵌合部の先端部から前記側溝ブロック内へと通じる排水路に連通する、第一連通間隙が形成されている（請求項２４）。
【００２５】
これによれば、排水空間部を形成する前記凹部に嵌められた嵌合部の先端部は、隔て板によって覆われるので、道路の舗装の際に、例えば道路を構成するアスファルト等と、前記嵌合部の先端部とが境をつけて隔てられる。よって、グレーチングを、側溝ブロックから、容易に取り外すことができるようになる。また、グレーチングが取り外されたとしても、隔て板が、排水空間部を形成する前記凹部の、外側の側方を覆っているので、排水空間部を形成する前記凹部内に、道路の一部が脱落しにくくなる。そして、側溝ブロックとの際にできた窪みに溜まる雨水等、あるいは、透水性道路の透水層に染み込んだ雨水等は、隔て板間に形成される、第一連通間隙から取り入れられる。
【００２６】
また、この発明に係る側溝ブロックは、上方に開口する開口部に、内側の水路を被うようにしてグレーチングが配備される、側溝ブロックである。そして、少なくとも一方の側壁には、前記グレーチングのグレーチング本体の一側部に突設された嵌合部が嵌められる凹部が、上方および両側方へと開口するとともにその凹部の底面側と前記嵌合部との間に排水空間部を形成するように設けられており、また、前記側壁には、前記凹部の、外側の側方を覆うようにして立設された、隔て板が設けられている。そして、その隔て板と、前記凹部の側面端部との間に、連通間隙が形成されており、その連通間隙は、前記嵌合部と、前記凹部の側面との間に形成される、前記排水空間部に通じる集水間隙に連通する（請求項２７）。
【００２７】
これによれば、排水空間部を形成する前記凹部に嵌められた嵌合部の先端部は、隔て板によって覆われるので、道路の舗装の際に、例えば道路を構成するアスファルト等と、前記嵌合部の先端部とが境をつけて隔てられる。よって、グレーチングを、側溝ブロックから、容易に取り外すことができるようになる。また、グレーチングが取り外されたとしても、隔て板が、排水空間部を形成する前記凹部の、外側の側方を覆っているので、排水空間部を形成する前記凹部内に、道路の一部が脱落しにくくなる。そして、側溝ブロックとの際にできた窪みに溜まる雨水等、あるいは、透水性道路の透水層に染み込んだ雨水等は、隔て板と、凹部の側面端部との間に形成される、連通間隙から取り入れられる。
【００２８】
【発明の実施の形態】
以下、この発明に係るグレーチング、排水構造および側溝ブロックの一実施の形態を図面に基づいて説明する。
【００２９】
図１ないし図８は、本発明に係るグレーチング、排水構造、および、側溝ブロックの第一の実施の形態を示す。図中符号１は、道路としての、透水層２ａとその下に位置する不透水層２ｂとを備える透水性道路２に沿って設置される、例えば、Ｕ字型側溝ブロック等のコンクリート製の側溝ブロックである。３は、上方に開口する側溝ブロック１内の水路Ｓを被うようにして、その開口部４に配備される、グレーチングである。
【００３０】
側溝ブロック１は、一方の側壁１ａの上部内側に、グレーチング３または側溝蓋Ｊを載せるための蓋掛かり段部Ｒとなる、第一段部５を備えている。また、他方の側壁１ｂの上部内側に、グレーチング３または前記側溝蓋を載せるための蓋掛かり段部Ｒとなる、第二段部６を備えている。そして、一方の側壁１ａの上部、詳しくは、前記蓋掛かり段部Ｒから起立する起立壁Ｍに、上方および両側方へと開口する、凹部７が設けられている。この凹部７は、例えば、下方ほど幅狭となっており、その底面７ａは、前記側壁１ａの外面側から内面側に向かうにつれて下方に進む急勾配の傾斜面となっている。
【００３１】
また、側溝ブロック１の、凹部７が設けられた側の側壁、つまり、一方の側壁１ａの蓋掛かり段部Ｒには、前記凹部７と対応する位置に、その蓋掛かり段部Ｒを横切るようにして凹んで、側溝ブロック１内の水路Ｓに開口する、排水溝８が設けられている。この排水溝８は、例えば、下方ほど幅狭となっており、その底面８ａは、起立壁Ｍからその反対側に向かうにつれて下方に進む、前記底面７ａよりは緩やかな勾配からなる、傾斜面となっている。そして、前記凹部７の底面７ａは、この排水溝８の底面８ａに連続するようにつながっており、よって、側壁１ａの外面側から内面へと延びて、さらに、水路３へとつながる傾斜面９が、両底面７ａおよび８ａによって形成されている。
【００３２】
また、側溝ブロック１の、前記凹部７が設けられた側壁１ａには、前記凹部７の、外側の側方を覆うようにして立設された、道路（透水性道路２）と前記凹部７とを隔てる、複数の隔て板Ｗ、Ｗが設けられている。この隔て板Ｗについては、後で詳述する。
【００３３】
次に、グレーチング３は、側溝ブロック１の開口部４において、一方の側壁１ａおよび他方の側壁１ｂに設けられた、蓋掛かり段部Ｒである、第一段部５および第二段部６に載置される、グレーチング本体（金属製）１０を備える。グレーチング本体１０は、この実施の形態においては、周知の構成からなり、雨水等を排水するための、上下に貫通するようにして開口する、複数の排水口Ｈ、Ｈが形成されている、一つの枠体からなる本体部１０ａと、前記前記第一段部５および第二段部６に載せられる脚としての、例えば角パイプ状の、基台１０ｂ、１０ｂを備えている。
【００３４】
また、グレーチング３は、グレーチング本体１０の一側部、詳しくは、その外周枠Ｑに突設された、前記凹部７に延びて、その凹部７の底面７ａ側との間に排水空間部Ｖを形成するようにして、その凹部７内の空間に嵌められる、嵌合部１１（図示実施の形態においては、嵌合部１１は、グレーチング本体１０の一方側にのみ設けられている。）と、前記排水空間部Ｖを介して、前記嵌合部１１の先端部から側溝ブロック１１内へと通じる、排水路Ｔを備えている。具体的には、嵌合部１１（金属製）は、凹部７の側面７ｂとの間に、後述する集水間隙Ｋができるように、前記凹部７よりも幅狭に形成されていて、かつ、前記凹部７の底面７ａから距離を置いて、すなわち、離間して、その凹部７に支持されることなく、詳しくは、その凹部７の底面７ａ、側面７ｂ等によって支持されることなく、その凹部７内の空間中に収められるように嵌まり込んでいる。また、この嵌合部１１は、間隔を置いて並設された複数の嵌合部構成体１１ａ、１１ａ、例えば各パイプを寸切りにして形成した中空状の嵌合部構成体１１ａ、１１ａを有しており、これら嵌合部構成体１１ａ、１１ａ、すなわち、嵌合部１１は、連結部材１２を介して、適宜固着もしくは固定手段、例えば溶着とかネジ止め等の手段によって、前記外周枠Ｑに突設されるように固着もしくは固定され（図示実施の形態では、溶着によって固着される例を示す）、その上面（嵌合部１１の上面）は、グレーチング本体１０の上面とほぼ面一となっている。そして、前記排水路Ｔは、隣り合う前記嵌合部構成体１１ａ、１１ａ間に形成された、前記排水空間部Ｖに通じる間隙からなる。よって、この排水路Ｔの先端にて開口する集水口部１３は、前記嵌合部１１の先端部の上端から下端に至るまで連続して開口している。
また、前記嵌合部１１と前記凹部７の側面７ｂとの間には、前記排水空間部Ｖに通じるとともにその排水空間部Ｖを介して側溝ブロック１内へと通じる、集水間隙Ｋが形成されている。なお、嵌合部構成体１１ａは、既述の通り、中空状であって、その嵌合部構成体１１ａには、前記排水空間部Ｖに通じる、上下に貫通するように開口する単数もしくは複数（図示実施の形態においては、単数である。）の排水口Ｈ１が形成されている。
【００３５】
そして、既述した通り、側溝ブロック１の一方の側壁１ａには、凹部７の、外側の側方を覆う、複数（図示実施の形態においては３枚）の隔て板Ｗ、Ｗが設けられている。図示実施の形態においては、これら複数の隔て板Ｗ、Ｗは、間隔置いて並ぶように立設された、例えば、縦断面ほぼＬ字形状の、金属製の複数の板材１６、１６によって形成されており、その下部、すなわち折り曲げられた下部が、それぞれ側壁１ａに埋設されている。そして、これら隔て板Ｗ、Ｗの間には、グレーチング３の前記嵌合部１１が備える前記排水路Ｔに連通する、前記板材１６、１６間の間隙からなる、第一連通間隙１７、１７が形成されている。よって、この第一連通間隙１７は、上方および側方ともに開口するように形成されている。また、隔て板Ｗの側部と、凹部７の側面７ｂ端部との間に、間隙からなる第二連通間隙１８が形成されており、この第二連通間隙１８は、グレーチング３の嵌合部１１の左右の側面と、凹部７の側面７ｂとの間に形成された、前記集水間隙Ｋに連通している。もっとも、図示実施の形態においては、前記第一連通間隙１７は、排水路Ｔに連通するとともに、その排水路Ｔよりも下方に位置する、前記排水空間部Ｖにも、前記排水路Ｔを介することなく、すなわち、凹部７の外側の側方から直接連通できるように、所要の長さで上下に延びている（図６および図７参照）。なお、前記複数の隔て板Ｗ、Ｗは、必ずしも複数の板材１６、１６によって形成される必要はなく、例えば、図８に示すように、一枚の板材１６にスリット１６ａを入れることにより、複数の隔て板Ｗ、Ｗを形成するようにしてもよい。
【００３６】
次に、この第一の実施の形態に示すグレーチング３、側溝ブロック１並びにそれらによる排水構造の作用効果について説明する。まず、側溝ブロック１は、凹部７が設けられた側壁１ａが道路（透水性道路２）側に配置されるように設置される。そして、グレーチング３は、その嵌合部１１が、前記凹部７に嵌められるようにして、前記側溝ブロック１の開口部４に配備される。グレーチング３の両基台１０ｂ、１０ｂは、それぞれ側溝ブロック１の蓋掛かり段部Ｒとしての第一段部５および第二段部６上に載せられ、また、前記嵌合部１１は、前記凹部７の底面７ａ側との間に排水空間部Ｖを形成するとともに、前記凹部７の側面７ｂとの集水間隙Ｋを形成するように、前記凹部７内に配置される。このとき、嵌合部１１の上面は、側壁１ａの頂面および道路（透水性道路２）舗装面とほぼ面一となる。そして、前記嵌合部１１の先端部は、前記凹部７の、外側の側方を覆う複数の隔て板Ｗ、Ｗに当接もしくは近接して、それら隔て板Ｗ、Ｗに覆われることにより、道路（透水性道路２）側とは境をつけて隔てられる。よって、排水路Ｔは、前記嵌合部１１の先端部から、前記排水空間部Ｖおよび排水溝８を介して、側溝ブロック１内、すなわち水路Ｓへと通じ、また、前記集水間隙Ｋも、前記排水空間部Ｖおよび排水溝８を介して、側溝ブロック１内、すなわち水路Ｓへと通じることとなる。そして、前記排水路Ｔには、隔て板Ｗ、Ｗ間の間隙である第一連通間隙１７が連通し、また、前記集水間隙Ｋには、隔て板Ｗの側部と凹部７の側面７ｂ端部との間隙である第二連通間隙１８が連通する。しかも、前記第一連通間隙１７は、前記排水路Ｔに連通するのみならず、その排水路Ｔよりも下方に位置する、前記排水空間部Ｖにも、凹部７の外側の側方から連通する。そして、各嵌合部構成体１１ａに形成された排水口Ｈ１も、排水空間部Ｖおよび排水溝８を介して、側溝ブロック１内、すなわち水路Ｓへと通じる。
【００３７】
かくして、側溝ブロック１との際あたりで、透水性道路２の舗装面２ｃの転圧を十分に行うことができない等の理由により、部分的に窪んで、その窪みＢに溜まる雨水等、あるいは、透水層２ａに染み込んだ雨水等は、第一連通間隙１７とか排水路Ｔを通って、あるいは、第二連通間隙１８とか集水間隙Ｋを通って、排水空間部Ｖ内へと導水され、さらには、排水溝８を通って、側溝ブロック１内へと排水される。また、排水路Ｔよりも下方に位置する透水層２ａへと染み込んだ雨水等については、前記第一連通間隙１７の下部間隙から、前記排水空間部Ｖ内へと導水されるとともに、排水溝８を介して、側溝ブロック１内へと排水される。そして、透水性道路２の表面上を流れてくる雨水等については、グレーチング本体１０の排水口Ｈより直接側溝ブロック１内へと排水されるか、あるいは、嵌合部１１の排水口Ｈ１を通って、または、第一連通間隙１７とか排水路Ｔを通って、あるいは、第二連通間隙１８とか集水間隙Ｋを通って、排水空間部Ｖ内へと導水されるとともに、排水溝８を介して、側溝ブロック１内へと排水される。
【００３８】
また、グレーチング３は、その嵌合部１１が、適宜固着もしくは固定手段によって、グレーチング本体１０の一側部としての外周枠Ｑに、突設されるように固着もしくは固定される構造であるため、市販されている既存の側溝ブロック用のグレーチングを、前記グレーチング本体１０として利用できる。このため、嵌合部１１を用意すれば、既存のグレーチングを利用してグレーチング３の製造が可能となるため、その製造コストを低く抑えることができる。もっとも、製造コストを特に考慮しなければ、グレーチング本体１０として、必ずしも既存のグレーチングを利用する必要がない。
【００３９】
また、凹部７は、側溝ブロック１の開口部４に設けられた蓋掛かり段部Ｒから起立する起立壁Ｍに設けられているとともに、その凹部７の底面７ａは、蓋掛かり段部Ｒを横切るようにその蓋掛かり段部Ｒに設けられた、排水溝８の底面と連続してつながっているので、排水空間部Ｖに導水された雨水等を、蓋掛かり段部Ｒに載せられたグレーチング３、詳しくは、そのグレーチング３の脚である基台１０ｂに遮られることなく、排水溝８に導いて、側溝ブロック１内へと排水することができる。しかも、前記凹部７の底面７ａは、側壁１ａの外面側から内面側に向かうにつれて下方に進む傾斜面となっており、また、排水溝８の底面８ａについても、起立壁Ｍからその反対側に向かうにつれて下方に進む傾斜面となっているので、排水空間部Ｖに導水された雨水等を、凹部７の底面７ａの傾斜面に沿って下らせて、円滑に排水溝８に導くことができるとともに、その排水溝８からさらにその底面８ａの傾斜面に沿って下らせて、側溝ブロック１内の水路Ｓへと円滑に導くことができる。
【００４０】
図９ないし図１１は、本発明に係るグレーチング、排水構造および側溝ブロックの第二の実施の形態を示すものであり、前記第一の実施の形態との主な相違は、グレーチング３が排水路Ｔを備えていない点にある。すなわち、凹部７に嵌められる嵌合部１１は、一つの嵌合部構成体１１ａを有するものであって、その嵌合部１１の側面と、凹部７の側面７ｂとの間に、排水空間部Ｖに通じるとともにその排水空間部Ｖを介して側溝ブロック１内へと通じる、集水間隙Ｋができるように、前記凹部７よりも幅狭に形成されている。そして、この嵌合部１１は、前記凹部７の底面７ａから距離を置いて、すなわち、離間して、その凹部７に支持されることなく、詳しくは、その凹部７の底面７ａ、側面７ｂ等によって支持されることなく、その凹部７内の空間に嵌まり込む。そして、前記嵌合部構成体１１ａには、前記排水空間部Ｖに通じる、上下に貫通するように開口する単数もしくは複数（図示実施の形態においては、複数である。）の排水口Ｈ１が、前記嵌合部構成体１１ａの枠開口部を区切るように形成されている。
【００４１】
また、側溝ブロック１の、一方の側壁１ａには、前記凹部７の、外側の側方を覆うようにして立設された、透水性道路２と凹部７とを隔てる、一枚の隔て板Ｗが設けられている。この隔て板Ｗは、例えば、縦断面ほぼＬ字形状の、金属製の板材１６からなり、その下部、すなわち折り曲げられた下部が、側壁１ａに埋設されている。そして、この隔て板Ｗの側部と、凹部７の側面７ｂ端部との間に、間隙からなる連通間隙１９が形成されている。また、この連通間隙１９は、嵌合部１１の側面と、凹部７の側面７ｂとの間に形成された、集水間隙Ｋに連通している。しかも、この連通間隙１９は、前記集水間隙Ｋに連通するのみならず、その集水間隙Ｋよりも下方に位置する、凹部７の空間（この空間は、前記排水空間部Ｖにつながっている。）にも、凹部７の外側の側方から連通する。
【００４２】
この実施の形態に示されるグレーチング１において、グレーチング本体１０が、周知の構成からなり、雨水等を排水するための、上下に貫通するようにして開口する、複数の排水口Ｈ、Ｈが形成されている点、その本体部１０ａが一つの枠体からなる点、嵌合部１１が、適宜固着もしくは固定手段、例えば溶着とかネジ止め等の手段によって、グレーチング本体１０の一側部としての外周枠Ｑに、突設されるように固着もしくは固定される（図示実施の形態では、溶着によって固着される例を示す）点、前記嵌合部１１が、凹部７に、その凹部７の底面７ａ側との間に排水空間部Ｖを形成するように嵌められる点等については、前記第一の実施の形態と同様である。また、この実施の形態に示される側溝ブロック１は、凹部７および排水溝８の形状につき、前記第一の実施の形態と異にするも、その凹部７が、蓋掛かり段部Ｒから起立する起立壁Ｍに、上方および両側方へと開口するように設けられている点、そして、凹部７と対応する位置に、その蓋掛かり段部Ｒを横切るようにして凹んで、側溝ブロック１内の水路Ｓに開口する、排水溝８が設けられている点、凹部７の底面７ａが、側壁１ａの外面側から内面側に向かうにつれて下方に進む傾斜面となっている点、さらには、これら凹部７の底面７ａと排水溝８の底面８ａとが連続するようにつながっている点等については、前記第一の実施の形態と同様である。
【００４３】
そして、この第二の実施の形態によれば、側溝ブロック１との際あたりで、透水性道路２の舗装面２ｃの転圧を十分に行うことができない等の理由により、部分的に窪んで、その窪みＢに溜まる雨水等、あるいは、透水層２ａに染み込んだ雨水等は、連通間隙１９とか集水間隙Ｋを通って、排水空間部Ｖ内へと導水され、さらには、排水溝８を通って、側溝ブロック１内へと排水される。また、集水間隙Ｋよりも下方に位置する透水層２ａへと染み込んだ雨水等については、前記連通間隙１９の下部間隙から、前記排水空間部Ｖ内へと導水されるとともに、排水溝８を介して、側溝ブロック１内へと排水される。そして、透水性道路２の表面上を流れてくる雨水等については、グレーチング本体１０の排水口Ｈより直接側溝ブロック１内へと排水されるか、あるいは、嵌合部１１の排水口Ｈ１を通って、または、連通間隙１９とか集水間隙Ｋを通って、排水空間部Ｖ内へと導水されるとともに、排水溝８を介して、側溝ブロック１内へと排水される。
【００４４】
図１２ないし図１４は、この発明に係るグレーチング、排水構造および側溝ブロックの第三の実施の形態を示すものであり、前記第一の実施の形態との主な相違は、嵌合部１１が、凹部７に支持されるようにして、その凹部７に嵌められる点にある。すなわち、側溝ブロック１の一方の側壁１ａの上部、詳しくは、蓋掛かり段部Ｒから起立する起立壁Ｍに、上方および両側方へと開口する、凹部７が設けられている。この凹部７に嵌められる、グレーチング３の嵌合部１１は、間隔を置いて並設された複数の嵌合部構成体１１ａ，１１ａを有し、それら隣り合う嵌合部構成体１１ａ、１１ａ間には、間隙からなる排水路Ｔが形成されている。よって、この排水路Ｔの先端にて開口する集水口部１３は、前記嵌合部１１の先端部の上端から下端に至るまで連続して開口している。また、前記嵌合部１１は、その嵌合部１１の側面と、前記凹部７の側面７ｂとの間に、側溝ブロック１内へと通じる、集水間隙Ｋができるように、前記凹部７よりも幅狭に形成されている。そして、この嵌合部１１は、凹部７によって下方から支持されるようにして、図示実施の形態においては、前記凹部７の一部を構成する底面７ａに載せられるようにして、その凹部７に嵌められる。
【００４５】
凹部７には、前記排水路Ｔと対応する位置に、その凹部７の底面７ａからさらに窪む連通凹部２０が形成されている。この連通凹部２０および前記凹部７と対応する位置に、蓋掛かり段部Ｒを横切るようにして凹んで、側溝ブロック１内の水路Ｓに開口する、排水溝８が設けられており、かつ、前記連通凹部２０の底面２０ａは、前記排水溝８の底面８ａと、連続するようにつながっている。そして、連通凹部２０の底面２０ａは、側壁１ａの外面側から内面側に向かうにつれて下方に進む傾斜面となっており、また、排水溝８の底面８ａは、起立壁Ｍからその反対側に向かうにつれて下方に進む傾斜面となっている。そして、前記嵌合部構成体１１ａには、上下に貫通するように開口する複数の排水口Ｈ１が、前記嵌合部構成体１１ａの枠開口部を区切るように形成されている。なお、図示実施の形態においては、前記排水溝８は、前記連通凹部２０よりもかなり幅広で、かつ、前記凹部７よりも若干幅広となっているが、その幅の大きさは、特に限定されるものではない。また、凹部７の底面７ａは、水平な面である必要はなく、その底面７ａの一部もしくは全部が、側壁１ａの外面側から内面側に向かうにつれて下方に進む傾斜面となっていても構わない。
【００４６】
また、側溝ブロック１の一方の側壁１ａには、凹部７の、外側の側方を覆う、複数（図示実施の形態においては２枚）の隔て板Ｗ、Ｗが設けられている。これら複数の隔て板Ｗ、Ｗは、間隔置いて並ぶように立設された、例えば、縦断面ほぼＬ字形状の、金属製の複数の板材１６、１６によって形成されており、その下部、すなわち折り曲げられた下部が、それぞれ側壁１ａに埋設されている。そして、これら隔て板Ｗ、Ｗの間には、グレーチング３の前記嵌合部１１が備える前記排水路Ｔに連通する、前記板材１６、１６間の間隙からなる、第一連通間隙１７が形成されている。よって、この第一連通間隙１７は、上方および側方ともに開口するように形成されている。また、隔て板Ｗの側部と、凹部７の側面７ｂ端部との間に、間隙からなる第二連通間隙１８が形成されており、この第二連通間隙１８は、前記集水間隙Ｋに連通している。もっとも、図示実施の形態においては、前記第一連通間隙１７は、排水路Ｔに連通するとともに、その排水路Ｔよりも下方に位置する、前記連通凹部２０にも、凹部７の外側の側方から直接連通できるように、所要の長さで上下に延びている。なお、前記複数の隔て板Ｗ、Ｗは、必ずしも複数の板材１６、１６によって形成される必要はなく、一枚の板材１６にスリット１６ａを入れることにより、複数の隔て板Ｗ、Ｗを形成するようにしてもよいことは、第一の実施の形態と同様である。
【００４７】
この第三の実施の形態に示されるグレーチング１において、グレーチング本体１０が、周知の構成からなり、雨水等を排水するための、上下に貫通するようにして開口する、複数の排水口Ｈ、Ｈが形成されている点、その本体部１０ａが一つの枠体からなる点、嵌合部１１が、適宜固着もしくは固定手段、例えば溶着とかネジ止め等の手段によって、グレーチング本体１０の一側部としての外周枠Ｑに、突設されるように固着もしくは固定される（図示実施の形態では、溶着によって固着される例を示す）点等については、前記第一の実施の形態と同様である。
【００４８】
そして、この第三の実施の形態によれば、側溝ブロック１との際あたりで、透水性道路２の舗装面２ｃの転圧を十分に行うことができない等の理由により、部分的に窪んで、その窪みＢに溜まる雨水等、あるいは、透水層２ａに染み込んだ雨水等は、第一連通間隙１７とか排水路Ｔそして連通凹部２０を通って、あるいは、第二連通間隙１８とか集水間隙Ｋを通って、そしてさらには、排水溝８を通って、側溝ブロック１内へと排水される。また、排水路Ｔよりも下方に位置する透水層２ａへと染み込んだ雨水等については、前記第一連通間隙１７の下部間隙から、前記連通凹部２０内へと導かれるとともに、排水溝８を介して、側溝ブロック１内へと排水される。そして、透水性道路２の表面上を流れてくる雨水等については、グレーチング本体１０の排水口Ｈより直接側溝ブロック１内へと排水されるか、あるいは、嵌合部１１の排水口Ｈ１を通って、または、第一連通間隙１７とか排水路Ｔを通って、あるいは、第二連通間隙１８とか集水間隙Ｋを通って、側溝ブロック１内へと排水される。なお、この第三の実施の形態において、前記連通凹部２０とか排水溝８は、必ずしも設けられる必要はない。この場合、排水路Ｔ、集水間隙Ｋおよび排水口Ｈ１から流入した雨水等は、そのまま流れ落ちて、側溝ブロック１内へと排水される。
【００４９】
図１５ないし図１７は、この発明に係るグレーチング、排水構造および側溝ブロックの第四の実施の形態を示すものであり、前記第一の実施の形態との主な相違は、グレーチング３が排水路Ｔを備えていない点、および、嵌合部１１が、凹部７に支持されるようにして、その凹部７に嵌められる点にある。すなわち、側溝ブロック１の一方の側壁１ａの上部、詳しくは、蓋掛かり段部Ｒから起立する起立壁Ｍに、上方および両側方へと開口する、凹部７が設けられている。この凹部７に嵌められる、グレーチング３の嵌合部１１は、一つの嵌合部構成体１１ａを有するものであって、その嵌合部１１の側面と、凹部７の側面７ｂとの間に、側溝ブロック１内へと通じる、集水間隙Ｋができるように、前記凹部７よりも幅狭に形成されている。そして、この嵌合部１１は、凹部７によって下方から支持されるようにして、図示実施の形態においては、前記凹部７の一部を構成する底面７ａに載せられるようにして、その凹部７に嵌められる。この凹部７と対応する位置に、蓋掛かり段部Ｒを横切るようにして凹んで、側溝ブロック１内の水路Ｓに開口する、排水溝８が設けられている。この排水溝８の底面８ａは、起立壁Ｍからその反対側に向かうにつれて下方に進む傾斜面となっている。なお、凹部７の底面７ａは、水平な面である必要はなく、その底面７ａの一部もしくは全部が、側壁１ａの外面側から内面側に向かうにつれて下方に進む傾斜面となっていても構わない。
【００５０】
また、側溝ブロック１の一方の側壁１ａには、前記凹部７の、外側の側方を覆うようにして立設された、透水性道路２と凹部７とを隔てる、一枚の隔て板Ｗが設けられている。この隔て板Ｗは、例えば、縦断面ほぼＬ字形状の、金属製の板材１６からなり、その下部、すなわち折り曲げられた下部が、側壁１ａに埋設されている。そして、この隔て板Ｗの側部と、凹部７の側面７ｂ端部との間に、間隙からなる連通間隙１９が形成されている。なお、この第四の実施の形態に示されるグレーチング１において、グレーチング本体１０が、周知の構成からなり、雨水等を排水するための、上下に貫通するようにして開口する、複数の排水口Ｈ、Ｈが形成されている点、本体部１０ａが一つの枠体からなる点、嵌合部１１が、適宜固着もしくは固定手段、例えば溶着とかネジ止め等の手段によって、グレーチング本体１０の一側部としての外周枠Ｑに、突設されるように固着もしくは固定される（図示実施の形態では、溶着によって固着される例を示す）点等については、前記第一の実施の形態と同様である。
【００５１】
そして、この第四の実施の形態によれば、側溝ブロック１との際あたりで、透水性道路２の舗装面２ｃの転圧を十分に行うことができない等の理由により、部分的に窪んで、その窪みＢに溜まる雨水等、あるいは、透水層２ａに染み込んだ雨水等は、連通間隙１９とか集水間隙Ｋを通って、そして、さらに排水溝８を通って、側溝ブロック１内へと排水される。そして、透水性道路２の表面上を流れてくる雨水等については、グレーチング本体１０の排水口Ｈより直接側溝ブロック１内へと排水されるか、あるいは、嵌合部１１の排水口Ｈ１を通って、または、連通間隙１９とか集水間隙Ｋを通って、側溝ブロック１内へと排水される。なお、この実施の形態おいて、前記凹部７の、前記連通間隙１９および前記集水間隙Ｋと対応する位置、すなわち、凹部７の側面７ｂの際に、その凹部７の底面７ａからさらに窪む連通凹部を形成して、凹部７の底面７ａよりも下方に位置する透水層２ａへと染み込んだ雨水等を、連通間隙１９の下部間隙から、前記連通凹部へと導くとともに、排水溝８を介して、側溝ブロック１内へと排水するようにしても構わない。もちろん、凹部７の底面７ａに、第三の実施の形態で示したような連通凹部２０に相当する凹部を設けてもよい。
【００５２】
なお、本発明に係るグレーチング、排水構造および側溝ブロックは、上述した実施の形態に限定されるわけではなく、その他種々の変更が可能である。例えば、第一ないし第四の実施の形態において、隔て板Ｗは、必ずしも側溝ブロック１に設けられる必要がない。また、側溝ブロック１の一方の側壁１ａの外面側に、小石等の固形物の通過を防止する吸出し防止材（例えば、ポーラス状に成形された、不織布状の合成繊維製品からなるフィルター材）を、凹部７の外側の側方を覆うように、詳しくは、排水路Ｔとか集水間隙Ｋの側方、そして、排水空間部Ｖとか連通凹部２０の側方を覆うように取付けてもよい。もちろん、排水路Ｔ等に通じる第一連通間隙１７の側方とか、集水間隙Ｋ等に通じる第二連通間隙１８あるいは連通間隙１９の側方を覆うことができるように、前記吸出し防止部材を、隔て板Ｗの外側から、前記側壁１ａの外面側に取付けてもよい。
【００５３】
また、第一の実施の形態および第三の実施の形態において、グレーチング１の嵌合部１１は、嵌合凹部７の側面７ｂとの間に、側溝ブロック１内に通じる集水間隙Ｋができるように、その凹部７に嵌められるが、そのような集水間隙が形成されないようにして、前記凹部７に嵌められてもよい。また、嵌合部１１を構成する嵌合部構成体１１ａの個数は、複数個であればよく、その数は特に限定されない。
【００５４】
また、第一の実施の形態ないし第四の実施の形態において、嵌合部１１は、グレーチング本体１０の一側部である外周枠Ｑの長手方向ほぼ全域にわたって設けられてもよく、また、その長手方向に複数個設けられてもよい。また、嵌合部１１は、グレーチング本体１０の一側部に対して、溶着とかネジ止め以外の固着もしくは固定手段、例えば、嵌め合いとか締め付けあるいは引っ掛け等のその他の固着もしくは固定手段によって、固着もしくは固定されても構わない。もちろん、取り外し可能に固定されてもよい。また、嵌合部１１は、外周枠Ｑ以外の、グレーチング本体１０の一側部に固着もしくは固定されてもよい。また、窪みＢに溜まった雨水等、あるいは、透水性道路２の透水層２ａに染み込んだ雨水等を排水する機能を高めるために、嵌合部１１の先端面、詳しくは、その嵌合部構成体１１ａの先端面に、貫通孔あるいは切り欠きからなる複数の排水孔を付設してもよい。また、嵌合部構成体１１ａには、排水口Ｈ１が形成されなくてもよい。また、グレーチング本体１０の基台１０ｂは、必ずしも角パイプ状である必要はなく、例えば、アングル形状、あるいはチャンネル形状からなるものであってもよく、その形状は、特に限定されない。また、グレーチング本体１０は、基台１０ｂを備えていなくても構わない。また、グレーチング本体１０の本体部１０ａは、複数の枠体構成体が溶接、ネジ止め等されることによって一つの枠体を構成するものであってもよい。また、第一の実施の形態において、嵌合部構成体１１ａは、寸切り状の角パイプによって構成されているが、例えば平板材を溶接するなどして構成してもよく、嵌合部構成体１１ａをどのように構成するかは任意であって、適宜設計変更が可能である。
【００５５】
また、第三の実施の形態または第四の実施の形態において、嵌合部１１は、凹部７の底面７ａ以外の部分（例えば、凹部７の側面７ｂ）に支持されるようにして、その凹部７に嵌められても構わない。
【００５６】
また、第一の実施の形態ないし第四の実施の形態において、側溝ブロック１は、上方に開口する開口部を備えるのであれば、Ｕ字型側溝ブロック以外の側溝ブロックであってもよい。また、側溝ブロック１の、他方の側壁１ｂにも凹部７（および隔て板Ｗ）を設けてもよく、この場合、グレーチング３の嵌合部１１は、グレーチング本体１０の一方側および他方側に設けられる。また、側溝ブロック１の一方の側壁１ａに二つ以上の凹部７を設けて、グレーチング３を、一つの側溝ブロック１に、二つ以上配置するようにしてもよい。また、側溝ブロック１には、排水溝８が形成されなくてもよい。また、第一の実施の形態および第二の実施の形態において、凹部７の底面７ａは、必ずしも傾斜面である必要はなく、水平な面であっても構わない。
【００５７】
また、本発明に係る排水構造は、透水層２ａを備えない道路にも適用可能であり、また、本発明に係るグレーチング、排水構造および側溝ブロックは、工場生産時において、予め凹部７等が形成されている側溝ブロックのみならず、工場生産された後、例えば、道路に設置された後に、前記凹部７等を形成した側溝ブロックに適用できることは勿論である。
【００５８】
【発明の効果】
請求項１に記載されたグレーチングおよび請求項９に記載された排水構造によれば、道路表面上を流れてくる雨水等のみならず側溝ブロックとの際にできた窪みに溜まる雨水等についても、排水路から、排水空間部を介して、側溝ブロック内へと排水することができる。また、道路が、透水層を備える透水性道路の場合においては、その透水層に染み込んだ雨水等を、前記排水路から、排水空間部を介して、側溝ブロック内へと排水することができる。
【００５９】
また、請求項２に記載されたグレーチングおよび請求項１９に記載された排水構造によれば、道路表面上を流れてくる雨水等を、集水間隙から、排水空間部を介して、側溝ブロック内へと排水することができる。また、側溝ブロックとの際にできた窪みに溜まった雨水等、あるいは、透水性道路の透水層に染み込んだ雨水等についても、前記集水間隙から、排水空間部を介して、側溝ブロック内へと排水することができる。
【００６０】
また、請求項３に記載されたグレーチングによれば、請求項１または２の効果に加えて、嵌合部構成体に形成された排水口によっても、道路表面上を流れてくる雨水等を排水することができる。
【００６１】
また、請求項４に記載されたグレーチングによれば、請求項１ないし３のいずれか１項の効果に加えて、既存の側溝ブロック用のグレーチングをグレーチング本体として利用することが可能となるので、製造コストを低く抑えることができる。
【００６２】
また、請求項５に記載されたグレーチングおよび請求項１３に記載された排水構造によれば、道路表面上を流れてくる雨水等のみならず側溝ブロックとの際にできた窪みに溜まる雨水等についても、排水路から、側溝ブロック内へと排水することができる。また、道路が、透水層を備える透水性道路の場合においては、その透水層に染み込んだ雨水等を、前記排水路から、側溝ブロック内へと排水することができる。
【００６３】
また、請求項６に記載されたグレーチングおよび請求項２２記載された排水構造によれば、道路表面上を流れてくる雨水等を、集水間隙によって、側溝ブロック内へと排水することができる。また、側溝ブロックとの際にできた窪みに溜まる雨水等、あるいは、透水性道路の透水層に染み込んだ雨水等についても、前記集水間隙から側溝ブロック内へと排水することができる。
【００６４】
また、請求項７に記載されたグレーチングによれば、請求項５または６の効果に加えて、嵌合部構成体に形成された排水口によっても、道路表面上を流れてくる雨水等を排水することができる。
【００６５】
また、請求項８に記載されたグレーチングによれば、請求項５ないし７のいずれか１項の効果に加えて、既存の側溝ブロック用のグレーチングをグレーチング本体として利用することが可能となるので、製造コストを低く抑えることができる。
【００６６】
また、請求項１０に記載された排水構造によれば、請求項９の効果に加えて、排水路から排水空間部に導水された雨水等を、蓋掛かり段部に載せられたグレーチングに遮られることなく、排水溝に導いて、側溝ブロック内へと排水することができる。
【００６７】
また、請求項１１に記載された排水構造によれば、請求項１０の効果に加えて、排水空間部に導水された雨水等を、凹部底面の傾斜面に沿って下らせて、円滑に排水溝に導くことができる。
【００６８】
また、請求項１２に記載された排水構造によれば、請求項９ないし１１のいずれか１項の効果に加えて、雨水等を、嵌合部と嵌合凹部の側面との間の集水間隙からも、排水空間部を介して、側溝ブロック内へと排水することができる。
【００６９】
また、請求項１４に記載された排水構造によれば、請求項１３の効果に加えて、雨水等を、嵌合部と嵌合凹部の側面との間の集水間隙からも、側溝ブロック内へと排水することもできる。
【００７０】
また、請求項１５に記載された排水構造によれば、請求項９ないし１４のいずれか１項の効果に加えて、グレーチングを、側溝ブロックから取り外したとしても、隔て板が、凹部の、外側の側方を覆っているので、凹部内に、道路の一部が脱落するのを極力防ぐことができる。また、側溝ブロックとの際にできた窪みに溜まる雨水等、あるいは、透水性道路の透水層に染み込んだ雨水等を、第一連通間隙、および、その第一連通間隙が連通する排水路から、側溝ブロック内へと排水することができる。
【００７１】
また、請求項１６に記載された排水構造によれば、請求項９ないし１２のいずれか１項に記載の効果に加えて、排水路よりも下方に位置する透水層へと染み込んだ雨水等についても、第一連通間隙の下部間隙から、側溝ブロック内へと排水することができる。
【００７２】
また、請求項１７に記載された排水構造によれば、請求項１２または１４の効果に加えて、グレーチングを、側溝ブロックから取り外したとしても、隔て板が、凹部の、外側の側方を覆っているので、凹部内に、道路の一部が脱落するのを極力防ぐことができる。また、側溝ブロックとの際にできた窪みに溜まる雨水等、あるいは、透水性道路の透水層に染み込んだ雨水等を、第一連通間隙、および、その第一連通間隙が連通する排水路から、側溝ブロック内へと排水することができる。また、側溝ブロックとの際にできた窪みに溜まる雨水等、あるいは、透水性道路の透水層に染み込んだ雨水等を、第二連通間隙、および、その第二連通間隙が連通する集水間隙から、側溝ブロック内へと排水することができる。
【００７３】
また、請求項１８に記載された排水構造によれば、請求項１５ないし１７のいずれか１項の効果に加えて、前記雨水等を、第一連通間隙としての、板材間の間隙を介して、排水路から、側溝ブロック内へと排水することができる。
【００７４】
また、請求項２０に記載された排水構造によれば、請求項１９の効果に加えて、集水間隙から排水空間部に導水された雨水等を、蓋掛かり段部に載せられたグレーチングに遮られることなく、排水溝に導いて、側溝ブロック内へと排水することができる。
【００７５】
また、請求項２１に記載された排水構造によれば、請求項２０の効果に加えて、排水空間部に導水された雨水等を、凹部底面の傾斜面に沿って下らせて、円滑に排水溝に導くことができる。
【００７６】
また、請求項２３に記載された排水構造によれば、請求項１９ないし２２のいずれか１項の効果に加えて、グレーチングを、側溝ブロックから取り外したとしても、隔て板が、凹部の、外側の側方を覆っているので、凹部内に、道路の一部が脱落するのを極力防ぐことができる。また、側溝ブロックとの際にできた窪みに溜まる雨水等、あるいは、透水性道路の透水層に染み込んだ雨水等を、連通間隙、および、その連通間隙が連通する集水間隙から、側溝ブロック内へと排水することができる。
【００７７】
また、請求項２４に記載された側溝ブロックによれば、グレーチングを、側溝ブロックから取り外したとしても、隔て板が、凹部の、外側の側方を覆っているので、凹部内に、道路の一部が脱落するのを極力防ぐことができる。また、側溝ブロックとの際にできた窪みに溜まる雨水等、あるいは、透水性道路の透水層に染み込んだ雨水等を、隔て板間に形成される第一連通間隙から取り入れることができる。
【００７８】
また、請求項２５に記載された側溝ブロックによれば、請求項２４の効果に加えて、側溝ブロックとの際にできた窪みに溜まる雨水等、あるいは、透水性道路の透水層に染み込んだ雨水等を、隔て板と、凹部の側面端部との間に形成される第二連通間隙から取り入れることができる。
【００７９】
また、請求項２６に記載された側溝ブロックによれば、請求項２４または２５の効果に加えて、前記雨水等を、第一連通間隙としての、板材間に形成された間隙から、取り入れることができる。
【００８０】
また、請求項２７に記載された側溝ブロックによれば、グレーチングを、側溝ブロックから取り外したとしても、隔て板が、凹部の、外側の側方を覆っているので、凹部内に、道路の一部が脱落するのを極力防ぐことができる。また、側溝ブロックとの際にできた窪みに溜まる雨水等、あるいは、透水性道路の透水層に染み込んだ雨水等を、隔て板と、凹部の側面端部との間に形成される連通間隙から、取り入れることができる。
【００８１】
また、請求項２８に記載された側溝ブロックによれば、請求項２４ないし２７のいずれか１項の効果に加えて、前記雨水等を、蓋掛かり段部に載せられるグレーチングに遮られることなく、排水溝に導いて、側溝ブロック内へと排水することができる。
【００８２】
また、請求項２９に記載された側溝ブロックによれば、請求項２８の効果に加えて、前記雨水等を、凹部底面の傾斜面に沿って下らせて、円滑に排水溝に導くことができる。
【図面の簡単な説明】
【図１】この発明に係るグレーチング、排水構造および側溝ブロックの、第一の実施の形態の平面図である。
【図２】同じく、要部拡大平面図である。
【図３】同じく、図１におけるＡ−Ａ拡大断面図である。
【図４】同じく、分解斜視図（一方側）である。
【図５】同じく、分解斜視図（他方側）である。
【図６】同じく、要部拡大図（正面側）である。
【図７】同じく、要部拡大図（背面側）である。
【図８】隔て板の変形例を示す正面図である。
【図９】この発明に係るグレーチング、排水構造および側溝ブロックの、第二の実施の形態の、要部拡大平面図である。
【図１０】同じく、分解斜視図である。
【図１１】図９におけるＢ−Ｂ縮小断面図である。
【図１２】この発明に係るグレーチング、排水構造および側溝ブロックの、第三の実施の形態の、要部拡大平面図である。
【図１３】同じく、分解斜視図ある。
【図１４】図１２におけるＣ−Ｃ縮小断面図である。
【図１５】この発明に係るグレーチング、排水構造および側溝ブロックの、第四の実施の形態の、要部拡大平面図である。
【図１６】同じく、分解斜視図ある。
【図１７】図１５におけるＤ−Ｄ縮小断面図である。
【符号の説明】
１      側溝ブロック              １ａ    一方の側壁（側壁）
２      透水性道路（道路）        ３      グレーチング
４      開口部                    ７      凹部
７ａ    凹部の底面                ８      排水溝
１０    グレーチング本体          １１    嵌合部
１１ａ  嵌合部構成体              １６    板材
１７    第一連通間隙              １８    第二連通間隙
１９    連通間隙                  Ｈ、Ｈ１  排水口
Ｋ      集水間隙                  Ｍ      起立壁
Ｑ      外周枠                    Ｒ      蓋掛かり段部
Ｓ      水路                      Ｔ      排水路
Ｖ      排水空間部                Ｗ      隔て板
【図１】
2004225450.tif 000003
【図２】
2004225450.tif 000004
【図３】
2004225450.tif 000005
【図４】
2004225450.tif 000006
【図５】
2004225450.tif 000007
【図６】
2004225450.tif 000008
【図７】
2004225450.tif 000009
【図８】
2004225450.tif 000010
【図９】
2004225450.tif 000011
【図１０】
2004225450.tif 000012
【図１１】
2004225450.tif 000013
【図１２】
2004225450.tif 000014
【図１３】
2004225450.tif 000015
【図１４】
2004225450.tif 000016
【図１５】
2004225450.tif 000017
【図１６】
2004225450.tif 000018
【図１７】
2004225450.tif 000019